(57)【要約】【課題】  表示ランプの破損の危険がなく、台間機本体のシャーシに対する取り付け、取り外しが簡単な前面パネルを備えた遊技台用台間機を提案すること。【解決手段】  遊技台用台間機６の台間機本体１０のシャーシ２１には、上側パネル２５Ａと下側パネル２５Ｂからなる前面パネル２５が取り付けられている。上側パネル２５Ａの上端部分には前方突出部分６７が形成され、当該部分６７は横方から見た場合に平坦な輪郭形状であり、その上端部分が表示ランプ２６の発光面である。上側パネル２５Ａはシャーシ２１の前面に沿って上側からスライドさせると、係合爪６３ｄが係合溝４３ａに嵌り、双方が自動的に位置決めされ、この状態で、側方から同一方向に固定ねじ８５〜８８をねじ込むことにより上側パネル２５Ａをシャーシ２１の前面に固定できる。下側パネル２５Ｂも側方から同一方向に固定ねじ９３、９４をねじ込むことにより固定できる。【選択図】  図４
2005342240.tif 000002
【特許請求の範囲】
【請求項１】
台間機前面に取り付けられている前面パネルと、
台間機動作状態などを表示するための表示ランプと、
前記前面パネルの上端部分に形成した前方突出部分とを有し、
前記前方突出部分は、台間機側方から見た場合に、平坦な輪郭形状をしており、
当該前方突出部分の一部が、前記表示ランプの発光面とされている遊技台用台間機。
【請求項２】
請求項１において、
前記表示ランプは、光拡散機能を備えた透光性のカバーレンズ板と、前記カバーレンズ板の背面に光を照射する発光ダイオードとを備え、
前記発光ダイオードの主光軸が前記カバーレンズ板の背面に直交するように、当該発光ダイオードが配置されている遊技台用台間機。
【請求項３】
請求項１または２において、
台間機ホルダと、
前記台間機ホルダに対して着脱可能な状態で差し込み固定されている台間機本体とを有し、
前記前面パネルは前記台間機本体の前面に取り付けられている遊技台用台間機。
【請求項４】
請求項３において、
前記台間機本体は、側方に開口している扁平な縦長の箱型形状をしたシャーシを備え、
前記前面パネルは、当該前面パネルの上端側から下端側に向かう方向に延びている係合爪を備え、
前記シャーシは、前記前面パネルを取り付けるための前板部分と、前記係合爪を前記前板部分の上端側から下端側に向かう方向に差し込み可能な係合溝とを備え、
前記前面パネルを前記前板部分の表面に沿って、当該前板部分の上端側から下端側にスライドさせると、前記係合爪が前記係合溝に差し込まれて、前記前面パネルが前記前板部分に対して、位置決めされた状態で仮止めされる遊技台用台間機。
【請求項５】
請求項４において、
前記表示ランプは、前記発光ダイオードが搭載されているＬＥＤ基板と、前記ＬＥＤ基板が取り付けられているブラケットとを備え、前記ブラケットは前記前面パネルの上端部分の背面側に取り付けられており、
前記係合爪は前記ブラケットに形成されている遊技台用台間機。
【請求項６】
請求項４または５において、
前記前面パネルを前記シャーシの前記前板部分に取り付けるための複数本の固定ねじと、
前記固定ねじを、前記前面パネルおよび前記前板部分の側方から同一方向にねじ込むために、前記前面パネルおよび前記前板部分に形成された前記固定ねじに対応する個数のねじ穴とを有している遊技台用台間機。
【発明の詳細な説明】
【技術分野】
【０００１】
本発明は、パチンコ玉などの遊技媒体の貸し出しを行う遊技台用台間機に関するものである。さらに詳しくは、動作状態などを表示するための表示ランプが上端部分に形成されている遊技台用台間機の前面パネルの改良に関するものである。
【背景技術】
【０００２】
パチンコ台などの遊技台の間には、磁気カードやＩＣカードによりパチンコ玉などの遊技媒体を貸し出す台間機が設置されている。台間機は、遊技島を構成している遊技島取付枠に取り付けられた遊技台に隣接配置されており、一般に、遊技島取付枠に固定された台間機ホルダと、ここに前側から着脱可能な状態で差込固定された台間機本体から構成されている。
【０００３】
また、台間機の前面パネルの上端部分には、台間機の動作状態などを表示するための表示ランプが配置されている。表示ランプの光源としては発光ダイオードが一般に用いられており、台間機に内蔵されている制御器によって、動作状態などに応じて、点灯、点滅、消灯などの各種の形態で駆動される。発光ダイオードの前方には前面パネルの上端部分を形成している透光性のカバーレンズ板が配置されている。
【０００４】
カバーレンズ板は、その背面にダイヤカットなどの刻印による光拡散処理が施されており、発光ダイオードの点灯時にカバーレンズ板の全体が均一に明るくなるように、また、発光ダイオードの発光点がカバーレンズの外側から視認できないようになっている。光拡散処理としては、樹脂製のカバーレンズ板に光拡散剤を練り込む方法も知られている。下記の特許文献１には、二重のレンズ構造を備えた発光ダイオードを光源とする遊技機の照明構造が開示されている。
【特許文献１】特開２００３−８１４号公報
【発明の開示】
【発明が解決しようとする課題】
【０００５】
一般に、表示ランプは、遊技店の店員などが遊技島の端から見易いように、台間機の前面パネルの上端部分において前方に突出した状態に取り付けられている。このために、メンテナンス時などにおいて、隣接配置されている遊技台の扉を開けた際に、扉のヒンジなどの部分が台間機前面から前方に突出している表示ランプに当たり、当該表示ランプのカバーレンズ板が割れるなどの弊害が発生する危険性がある。
【０００６】
また、表示ランプなどが割れた場合には、台間機本体を台間機ホルダから引き出して、台間機本体のシャーシ前面に固定されている前面パネルを取り外して交換するなどの作業が必要になる。したがって、前面パネルの取り付け、取り外し作業を簡単に行えることが望ましい。
【０００７】
本発明の課題は、このような点に鑑みて、表示ランプが損傷する危険性の低い前面パネルを備えた遊技台用台間機を提案することにある。
【０００８】
また、本発明の課題は、表示ランプを備えた前面パネルの取り付け、取り外しを簡単に行うことのできる遊技台用台間機を提案することにある。
【課題を解決するための手段】
【０００９】
上記の課題を解決するために、本発明の遊技台用台間機は、
台間機前面に取り付けられている前面パネルと、
台間機動作状態などを表示するための表示ランプと、
前記前面パネルの上端部分に形成した前方突出部分とを有し、
前記前方突出部分は、台間機側方から見た場合に、平坦な輪郭形状をしており、
当該前方突出部分の一部が、前記表示ランプの発光面とされていることを特徴としている。
【００１０】
本発明の遊技台用台間機では、表示ランプの発光面のみが前方に突出している従来の台間機とは異なり、表示ランプの発光面を含む前方突出部分が全体として前方に突出しており、しかも、側方から見た場合に、当該前方突出部分が平坦な輪郭形状をしている。したがって、隣接配置されている遊技台の扉を開けた際にそのヒンジ部分が表示ランプの発光面のみに当たることがない。よって、表示ランプが破損する危険性を回避あるいは抑制できる。
【００１１】
ここで、前記表示ランプを、光拡散機能を備えた透光性のカバーレンズ板と、前記カバーレンズ板の背面に光を照射する発光ダイオードとを備えた構成とし、前記発光ダイオードの主光軸が前記カバーレンズ板の背面に直交するように、当該発光ダイオードを配置することが望ましい。光をカバーレンズ板の背面に対して、直交する方向から当てることにより、カバーレンズ板の表面、すなわち表示ランプの発光面を均一に発光させることができる。
【００１２】
次に、台間機は一般に、台間機ホルダと、ここに着脱可能な状態で差し込まれている台間機本体から構成されている。この場合、台間機本体のシャーシを扁平な縦長の箱型形状とし、その前面に前面パネルを取り付けることができる。前面パネルの取り付け作業を簡単に行うことができるように、前記前面パネルに、当該前面パネルの上端側から下端側に向かう方向に延びている係合爪を形成し、前記シャーシには、前記前面パネルを取り付けるための前板部分と、前記係合爪を前記前板部分の上端側から下端側に向かう方向に差し込み可能な係合溝とを形成し、前記前面パネルを前記前板部分の表面に沿って、当該前板部分の上端側から下端側にスライドさせて、前記係合爪を前記係合溝に差し込むことにより、前記前面パネルを前記前板部分に対して位置決めされた状態で仮止めできるようにすることが望ましい。
【００１３】
ここで、前記表示ランプを、前記発光ダイオードが搭載されているＬＥＤ基板と、前記ＬＥＤ基板が取り付けられているブラケットとを備え、前記ブラケットを前記前面パネルの上端部分の背面側に取り付けた構造とすることができる。この場合には、前記係合爪を前記ブラケットに形成することができる。
【００１４】
また、仮止めされた前面パネルをシャーシの前板部分に取り付け作業を簡単に行うことができるようにするためには、前記前面パネルを前記シャーシの前記前板部分に取り付けるための複数本の固定ねじと、前記固定ねじを、前記前面パネルおよび前記前板部分の側方から同一方向にねじ込むために、前記前面パネルおよび前記前板部分に形成された前記固定ねじに対応する個数のねじ穴とを有していることが望ましい。このようにすれば、固定ねじを同一の側からねじ込むという簡単な作業により、前面パネルを固定できる。また、一方の側から固定ねじを外し、しかる後に、前面パネルを上方に引き上げるという簡単な作業により、前面パネルを外すことができる。
【発明の効果】
【００１５】
以上説明したように、本発明の遊技台用台間機では、表示ランプの発光面のみが前方に突出している従来の台間機とは異なり、表示ランプの発光面を含む前方突出部分が全体として前方に突出しており、しかも、側方から見た場合に、当該前方突出部分が平坦な輪郭形状をしている。したがって、隣接配置されている遊技台の扉を開けた際にそのヒンジ部分が表示ランプの発光面のみに当たり、表示ランプが破損してしまうという危険性を回避あるいは抑制できる。
【００１６】
また、表示ランプの光源である発光ダイオードの光をカバーレンズ板の背面に直交する方向から当てるようにしているので、カバーレンズ板の表面、すなわち表示ランプの発光面を均一に発光させることができ、見易いという利点がある。
【００１７】
次に、本発明では、前面パネルを台間機本体のシャーシの前板部分の表面に沿ってスライドさせることにより、当該前面パネルを前板部分に仮止めできる。また、仮止めした前面パネルを、同一の側から固定ねじをねじ込むことにより、前板部分に固定できる。前面パネルの取り外しは逆に、同一の側から固定ねじを外した後に、前面パネルをスライドさせればよい。よって、前面パネルの取り付け、取り外し作業が極めて簡単になる。
【発明を実施するための最良の形態】
【００１８】
以下に、図面を参照して、本発明を適用した遊技台用台間機を説明する。
【００１９】
（遊技システム）
図１は本実施の形態に係る遊技台用台間機を備えた遊技システムを示す部分正面図である。遊技システム１の基本的な構成は一般的なものであり、遊技島２を構成するための遊技島取付枠３と、この遊技島取付枠３に沿って取り付けられた複数の遊技ユニット４とを有している。各遊技ユニット４は、パチンコ台やスロット台などの遊技台５と、遊技台５の左側に隣接配置されている台間機（遊技台用台間機）６とを備えている。
【００２０】
（台間機）
図２（ａ）および（ｂ）は台間機６の正面図および側面図である。台間機６は、遊技島取付枠３に固定されている台間機ホルダ１０と、この台間機ホルダ１０に対して前方から水平に差し込み固定可能な台間機本体２０から構成されている。台間機ホルダ１０は、縦枠１１と、この縦枠１１の上下の端から前方に水平に延びている上側水平枠１２および下側水平枠１３とを備えている。下側水平枠１３には電源ユニット１４が取り付けられており、この電源ユニット１４の上面には縦枠１１から前方に水平に延びる水平ガイド枠１５が取り付けられている。この水平ガイド枠１５と上側水平枠１２の間に、前方から台間機本体２０を差し込み可能である。
【００２１】
台間機本体２０は、縦長の扁平な箱型のシャーシ２１と、このシャーシ２１に内蔵されているカードリーダライタ２２、制御器２３および紙幣識別機２４と、シャーシ２１の前面に取り付けられている前面パネル２５とを備えている。前面パネル２５は、上側パネル２５Ａと下側パネル２５Ｂから構成されている。上側パネル２５Ａには、その上端側から、表示ランプ２６、紙幣投入口２７、表示部２８および操作部２９がこの順序で配置されている。表示ランプ２６は、台間機動作状態などを表示するためのランプであり、表示部２８は、玉貸し出しが可能であるか否かなどの玉貸し処理に関する情報を表示するためのものである。下側パネル２５Ｂには、その上側部位に、台間機本体２０を引き抜く際に用いる摘み部分３０が形成されており、その下側の部位にはカード挿入口３１が形成されている。
【００２２】
図３は、台間機ホルダ２０から台間機本体１０を引き出した状態を示す斜視図である。この図も参照して説明すると、台間機ホルダ１０と台間機本体２０の間には、台間機本体２０を台間機ホルダ１０にロックするためのロック機構が取り付けられている。すなわち、台間機本体２０の背面には、上側に係合穴３２が形成され、下側に係合爪３３が形成されている。台間機ホルダ１０の縦枠１１の背面には上下にスライド可能なスライド板３４が取り付けられ、このスライド板３４には、台間機本体側の係合穴３２の下縁部分３２ａに係合可能な係合爪（図示せず）が取り付けられている。また、スライド板３４の下縁部分３４ａが台間機本体側の係合爪３３に係合可能となっている。
【００２３】
台間機本体２０を台間機ホルダ１０に差し込むと、台間機本体側の係合穴３２の下縁部分３２ａ、および係合爪３３が、それぞれ、台間機ホルダ側の係合爪およびスライド板３４の下縁部分３４ａに係合して、台間機本体２０のロック状態が自動的に形成される。スライド板３４の上端部分にはロック解除用操作ワイヤ３５が連結されており、このロック解除操作用ワイヤ３５を引き上げることにより、ロックを解除して、台間機本体２０を引き抜くことが可能である。
【００２４】
また、台間機ホルダ１０の縦枠１１の背面には通信用の中継器３６が取り付けられている。この中継器３６には、前向き姿勢でホルダ側コネクタ(図示せず）が取り付けられている。台間機本体２０の制御器２３には、後向き姿勢で本体側コネクタ（図示せず）が取り付けられている。台間機本体２０を台間機ホルダ１０に差し込むと、差込動作に連動してロック状態が形成されると共に、本体側コネクタがホルダ側コネクタに接続された状態が形成される。これにより、制御器２３は中継器３６を経由して外部との間の通信が可能になる。
【００２５】
（台間機本体の前面パネルおよびシャーシ）
図４（ａ）は台間機本体２０のシャーシ２１および前面パネル２５を示す分解斜視図である。台間機本体２０は、側方が開口している縦長の扁平な箱型形状をしたシャーシ２１と、このシャーシ２１の開口を封鎖する状態に当該シャーシ２１に取り付けたシャーシカバー４１から構成されている。シャーシ２１は、内側面が各部品（２２、２３、２４）の取り付け面となっている縦長の側板部分４２と、この側板部分４２の上端縁および下端縁から横方に直角に折れ曲がっている天板部分４３および底板部分４４と、側板部分４２の前端縁および後端縁から横方に直角に折れ曲がっている前板部分４５および後板部分４６から形成されている。前板部分４５における開口側の縁には前方に直角に折れ曲がった一定幅の当接板部分４７が形成されている。シャーシカバー４１には、紙幣識別機２４が位置する部位に矩形の点検用開口部４１ａが形成されている。また、その前縁には前方に直角に折れ曲がった一定幅の当接板部分５１が形成され、その後縁および上端縁には、それぞれ側方に直角に折れ曲がった当接板部分５２および５３が形成されている。
【００２６】
ここで、後ろ側の当接板部分５２の上下方向の中程の位置にはねじ溝５２ａが形成されており、このねじ溝５２ａに対応するシャーシ２１の後板部分４６にはねじ穴４６ａが形成されている。シャーシ２１の開口を封鎖する状態となるように、シャーシカバー４１の上端側の当接板部分５３および後ろ側の当接板部分５３を、それぞれ、シャーシ２１の天板部分４３の上面および後板部分４６の後面に当接させた状態で、シャーシカバー４１の当接板部分５１をシャーシ２１の当接板部分４７に重ね合わせる。このように位置決めした後に、固定ねじ５４を、後側からねじ溝５２ａおよびねじ穴４６ａにねじ込むことにより、シャーシ２１にシャーシカバー４１が取り付けられた状態が形成される。
【００２７】
次に、シャーシ２１の前板部分４５に取り付けられている上側パネル２５Ａおよび下側パネル２５Ｂについて説明する。上側パネル２５Ａは、前述のように、その上端部分に表示ランプ２６を備えている。表示ランプ２６は、上側パネル２５Ａに形成した開口部６１と、この裏面側に固定ねじ６２によって取り付けたコの字状のブラケット６３と、このブラケット６３の前面に取り付けられているＬＥＤ基板６４と、その前側に取り付けたレンズカバー板６５とを備えている。ＬＥＤ基板６４の前面には前向き姿勢でＬＥＤ６６が搭載されている。この表示ランプ２６の下側には上下に延びる紙幣投入口２７が形成されている。
【００２８】
ここで、図２および図４から分かるように、上側パネル２５Ａにおける表示ランプ２６および紙幣投入口２７の部分は、上側パネル２５Ａの他の前面部分に対して前方に円弧状に突出した前方突出部分６７となっている。この前方突出部分６７の前面部分６７ａは円弧面となっており、側方から見た場合には、図２（ｂ）から分かるように、平坦な輪郭形状をしている。また、前方突出部分６７の上端部分が、表示ランプ２６のレンズカバー板６５の表面によって規定される円弧面部分６５ａおよびその両側の側面部分６５ｂ、６５ｃからなる発光面とされている。したがって、従来のように表示ランプの発光面が他の部分に比べて前方に突出している場合とは異なり、隣接配置されている遊技台５の扉を開けたときに、そのヒンジ部分などが表示ランプにのみ当たり、レンズカバー板が破損してしまうという危険性を回避、あるいは低下させることができる。
【００２９】
また、カバーレンズ板６５は光拡散機能を備えた透光性のものであり、ＬＥＤ６６は、その主光軸がカバーレンズ板６５の背面に直交するように配置されている。光をカバーレンズ板６５の背面に直交する方向から当たるので、カバーレンズ板６５の表面、すなわち表示ランプ２６の円弧状の発光面部分（６５ａ）が均一に発光する。よって、遠くからでも表示ランプ２６が見やすいという利点がある。
【００３０】
次に、紙幣投入口２７の下側の表示部２８は、上面パネル２５Ａに形成したパネル本体部分７１と、その前面に取り付けた透明な表示板７２と、その裏面に固定ねじ７３によって取り付けたＬＥＤ基板７４とを備えている。この下側に配置されている操作部２９は、上側パネル２５Ａに形成した操作パネル部分７５と、この裏面に取り付けた制御基板７６とを備えており、制御基板７６にはテンキー、液晶パネルが搭載されており、液晶パネルの部分がカバー７７によって保護されている。制御基板７６は上下二箇所の位置において固定ねじ７８によって操作パネル部分７５の裏面に固定されている。
【００３１】
ここで、上側パネル２５Ａおよび下側パネル２５Ｂをシャーシ２１の前板部分４５に取り付ける構造を説明する。上側パネル２５Ａの一方の側面部分８１には、上下方向の三箇所にねじ溝８２、８３、８４が形成されている。上側のねじ溝８２の内側には、表示ランプ２６のブラケット６３の側板部分６３ａが位置しており、ねじ溝８２に対峙する側板部分６３ａの部位にはねじ穴６３ｂが形成されている。同様に、残りの二箇所のねじ溝８３、８４の内側には、操作部２９の制御基板７６が搭載されているブラケット７９の側板部分７９ａが位置しており、ねじ溝８３、８４に対峙する当該側板部分７９ａの部位には、それぞれねじ穴７９ｂ、７９ｃが形成されている。また、ブラケット７９における反対側の側板部分７９ｄの上端部分にもねじ穴７９ｅが形成されている。
【００３２】
シャーシ２１の当接板部分４７には、上側パネル２５Ａのねじ穴６３ｂ、７９ｂ、７９ｃに対峙する部位に、それぞれねじ穴４７ａ、４７ｂ、４７ｃが形成されている。また、上側パネル２５Ａの操作部２９におけるブラケット側板部分７９ｄを前方から差込可能な差込溝４５ａがシャーシ２１の前板部分４５に形成されている。この差込溝４５ｄから差し込まれた側板部分７９ｄのねじ穴７９ｅに対峙するシャーシ側板部分４２の部位にもねじ穴４２ａが形成されている。
【００３３】
したがって、上側パネル２５Ａの各ねじ穴６３ｂ、７９ｂ、７９ｃ、７９ｅをシャーシ２１の側のねじ穴４７ａ、４７ｂ、４７ｃおよび４２ａにそれぞれ位置決めし、この状態で、側方から同一方向に、各固定ねじ８５、８６、８７および８８をねじ込むと、上側パネル２５Ａをシャーシ前板部分４７に固定できる。各固定ねじ８５〜８８を同一の側からねじ込めばよいので、上面パネル２５Ａの取り付け作業が簡単である。同様に、上面パネル２５Ａの取り外し作業においても、各固定ねじ８５〜８８を同一の側から取り外せばよい。よって、上面パネル２５Ａの取り外し作業も容易である。
【００３４】
ここで、本例においては、図４（ｂ）に示すように、上側パネル上端部分に取り付けられている表示ランプのブラケット６３における他方の側板部分６３ｃには、当該上面パネルの上端側から下端側に向かう方向に延びている係合爪６３ｄが形成されている。また、シャーシ２１の天板部分４３における前端部分には、係合爪６３ｄを上端側から差し込み可能な係合溝４３ａが形成されている。したがって、上側パネル２５Ａをシャーシ前板部分４５に取り付ける際には、まず、上側パネル２５Ａを前板部分４５の表面に沿って、当該前板部分４５の上端側から下端側にスライドさせると、係合爪６３ｄが係合溝４３ａに差し込まれる。この結果、上側パネル２５Ａがシャーシ前板部分４５に対して自動的に位置決めされた状態で仮止めされる。よって、上記のねじ止め作業を簡単に行うことができる。また、上面パネル２５Ａを取り外す際には、固定ねじ８５〜８８を外した後に、上面パネル２５Ａを上方に引き上げるだけでよいので、簡単である。
【００３５】
次に、下側パネル２５Ｂにおいては、その左右の側面部分９１、９２の上端部分に、それぞれ、ねじ穴９１ａ、９２ａが形成されている。シャーシ２１の当接板部分４７におけるねじ穴９１ａに対応する部位にもねじ穴４７ｄが形成されている。また、シャーシ前板部分４５には、他方のねじ穴９２ａが形成されている側板部分９２を前方から差込可能な差込溝４５ｂが形成され、ここに差し込まれた側板部分９２のねじ穴９２ａに対峙している側板部分４２の部位にもねじ穴４２ｂが形成されている。したがって、下側パネル２５Ｂのねじ穴９１ａ、９２ａをシャーシ２１の側のねじ穴４７ｄおよび４２ｂに位置決めし、側方から固定ねじ９３、９４をねじ込むと、下側パネル２５Ｂが前板部分４５に固定できる。各固定ねじ９３、９４を同一の側からねじ込めばよいので、下面パネル２５Ｂの取り付け作業も簡単であり、同様にその取り外し作業も簡単である。
【図面の簡単な説明】
【００３６】
【図１】本発明を適用した台間機を備えた遊技システムの部分正面図である。
【図２】図１の遊技システムの台間機の正面図および側面図である。
【図３】図２の台間機における台間機ホルダから台間機本体を引き抜いた状態を示す斜視図である。
【図４】図２の台間機の台間機本体におけるシャーシおよび前面パネルを示す分解斜視図である。
【符号の説明】
【００３７】
１    遊技システム
２    遊技島
３    遊技島取り付け枠
４    遊技ユニット
５    遊技台
６    台間機
１０  台間機ホルダ
２０  台間機本体
２２  カードリーダライタ
２３  制御器
２４  紙幣識別機
２５  前面パネル
２５Ａ  上側パネル
２５Ｂ  下側パネル
２６  表示ランプ
４１  シャーシカバー
４２  側板部分
４２ａ、４２ｂ  ねじ穴
４３  天板部分
４３ａ  係合溝
４４  底板部分
４５  前板部分
４５ａ、４５ｂ  差込溝
４６  後板部分
４７  当接板部分
４７ａ〜４７ｄ  ねじ穴
６７  前方突出部分
７９ｂ、７９ｃ、７９ｅ  ねじ穴
８１  上側パネルの側面部分
８２〜８４  ねじ溝
８５〜８８、９３、９４  固定ねじ
９１ａ、９１ｂ  ねじ穴
【図１】
2005342240.tif 000003
【図２】
2005342240.tif 000004
【図３】
2005342240.tif 000005
【図４】
2005342240.tif 000006